(57)【要約】【課題】確実にファスナーを閉じることができ、ファスナーを閉じるときにスムーズにスライドさせることができ、しかも簡単に製造することができるファスナー用スライダーを得る。【解決手段】ファスナー用スライダー１０は、連結部１８で連結されて略Ｕ字状に形成された把持部１４，１６を含む。把持部１４，１６の内側に、互いに対向するようにして曲面を有する突起部２４，２６を形成する。突起部２４，２６が対向することにより、突起部２４，２６から離れるにしたがって幅が広くなる隙間が形成される。凹条部と凸条部とからなる２列のファスナーの間に突起部２４，２６が配置されるようにして、把持部１４，１６をファスナーに沿ってスライドさせることにより、凹条部および凸条部に斜め方向の力を与えるながらファスナーを閉じる。【選択図】　　　図２
2004131098.tif 000002
【特許請求の範囲】
【請求項１】
凹条部と凸条部とで構成されるファスナーを閉じるために用いられ、前記凹条部と前記凸条部とを挟むようにしてスライドさせることにより前記凹条部と前記凸条部とを嵌合させて２列の前記ファスナーを閉じるためのファスナー用スライダーであって、
前記凹条部と前記凸条部とを挟むために対向して形成される２つの把持部と、
前記把持部の内側において対向するように形成される曲面を有する２つの突起部とを含み、
前記２つの突起部が対向することにより前記突起部の両側において前記突起部から離れるにしたがって間隔が広くなる隙間が形成され、
２列の前記ファスナーの間に前記突起部が配置されることにより、前記突起部の曲面で前記凹条部および前記凸条部に斜め方向の力が加わるようにしたことを特徴とする、ファスナー用スライダー。
【請求項２】
前記突起部はなだらかな曲面を有することを特徴とする、請求項１に記載のファスナー用スライダー。
【請求項３】
前記突起部は半球状に形成されることを特徴とする、請求項１に記載のファスナー用スライダー。
【請求項４】
２つの前記把持部の一端が連結されて略Ｕ字状に形成された、請求項１ないし請求項３のいずれかに記載のファスナー用スライダー。
【請求項５】
２つの前記把持部は、連結された部分を中心として開閉可能に形成された、請求項４に記載のファスナー用スライダー。
【請求項６】
２つの前記把持部が対向した状態で前記把持部の両側から押さえる押圧部材を含む、請求項５に記載のファスナー用スライダー。
【発明の詳細な説明】
【０００１】
【発明の属する技術分野】
この発明は、ファスナー用スライダーに関し、特に、たとえば布団圧縮袋の閉じ口などのように平行して並んだ２列のファスナーを閉じるためのファスナー用スライダーに関する。
【０００２】
【従来の技術】
【特許文献１】
実用新案登録第３０７７６２０号公報
【０００３】
図１１は、従来のファスナー用スライダーを用いてファスナーを閉じる状態を示す斜視図である。ファスナー用スライダー１は、対向する板状の把持部２を含む。これらの把持部２の一端側は連結され、略Ｕ字状に形成されている。把持部２の他端側には、互いに対向するように突出する爪部３が形成される。さらに、把持部２の内面には、図１２に示すように、互いに対向するようにして突出するリブ４が形成される。リブ４は、把持部２の一端側から他端側に向かって略平行して延びるように形成される。このファスナー用スライダー１は、たとえばポリプロピレンなどを用いて、射出成形などにより形成される。
【０００４】
このファスナー用スライダー１は、たとえば布団圧縮袋などの開口部に形成されたファスナーを閉じるために用いられる。布団圧縮袋５は、たとえば多層フィルムなどで形成された袋部を含み、その開口部に略平行して２列のファスナー６が形成される。それぞれのファスナー６は、凸条部７と凹条部８の一対で形成され、凸条部７が凹条部８に嵌り込むことによって、開口部が閉じられる。このとき、２列のファスナー６が形成されていることにより、確実に袋部を密閉することができる。
【０００５】
このように、２列のファスナー６を閉じるために、２列のファスナー６の凸条部７と凹条部８を挟むようにして、ファスナー用スライダー１が取り付けられる。そして、対向する把持部２の両側から押さえることにより、図１２に矢印で示すように、リブ４によって凸条部７と凹条部８が嵌り込む向きに力Ｆが加わる。したがって、ファスナー用スライダー１をファスナー６に沿ってスライドさせることにより、凹条部８を構成する２つの壁８ａ，８ｂが凸条部７によって押し広げられる。このようにして、ファスナー用スライダー１をファスナー６に沿ってスライドさせることにより、順次凸条部７が凹条部８に嵌り込んでいき、最終的に凸条部７と凹条部８の全体が嵌り込んで、２列のファスナー６が閉じられる。
【０００６】
この布団圧縮袋５を使用するには、開口部から布団を袋部内に入れ、ファスナー用スライダー１をスライドさせることより、ファスナー６が閉じ、袋部が密閉される。そして、掃除機などを用いて、別に設けられた吸引口から袋部内の空気を吸引することにより、布団の体積を小さくすることができる。したがって、狭い場所に、多数の布団を収納することができる。
【０００７】
このようなファスナー用スライダーにおいて、確実にファスナーを閉じることができ、かつスムーズにスライドさせることができるように、リブ４の代わりに、ローラを形成したものがある（特許文献１参照）。このようなファスナー用スライダーにおいては、対向するローラによってファスナー６の凸条部７と凹条部８とが挟み込まれる。したがって、ファスナー用スライダーをスライドさせることにより、ローラが回転しながら凸条部と凹条部とを嵌め込んでいき、しかもスムーズにスライドさせることができる。
【０００８】
【発明が解決しようとする課題】
しかしながら、図１１および図１２に示すような従来のファスナー用スライダーを用いた場合、ファスナーの凸条部と凹条部とが部分的に嵌り込んでいない場合がある。この場合、袋部内の空気を吸引しても、時間が経過するとともに、ファスナーの部分的な開口部から空気が入り、布団の体積が元にもどってしまう。そこで、確実にファスナーを閉じるために、把持部の両側から大きい力で押さえると、ファスナー用スライダーの滑りが悪くなり、スライドさせにくくなる。また、大きい力で把持部を押さえながらファスナー用スライダーをスライドさせると、袋部が破損する場合がある。
【０００９】
また、特許文献１のように、ローラで凸条部と凹条部とを押さえるファスナー用スライダーでは、確実にファスナーを閉じることができ、しかもスムーズにスライドさせることができるが、ローラが回転可能に把持部に取り付けられる必要があるため、１回の射出成形によって作製することができない。つまり、Ｕ字状の把持部とローラとを別々に作製し、ローラが回転できるように組み立てる必要がある。そのため、ファスナー用スライダーの製造が煩雑となり、製造コストが高くなる。
【００１０】
それゆえに、この発明の主たる目的は、確実にファスナーを閉じることができ、ファスナーを閉じるときにスムーズにスライドさせることができ、しかも簡単に製造することができるファスナー用スライダーを提供することである。
【００１１】
【課題を解決するための手段】
この発明は、凹条部と凸条部とで構成されるファスナーを閉じるために用いられ、凹条部と凸条部とを挟むようにしてスライドさせることにより凹条部と凸条部とを嵌合させて２列のファスナーを閉じるためのファスナー用スライダーであって、凹条部と凸条部とを挟むために対向して形成される２つの把持部と、把持部の内側において対向するように形成される曲面を有する２つの突起部とを含み、２つの突起部が対向することにより突起部の両側において突起部から離れるにしたがって間隔が広くなる隙間が形成され、２列のファスナーの間に突起部が配置されることにより、突起部の曲面で凹条部および凸条部に斜め方向の力が加わるようにしたことを特徴とする、ファスナー用スライダー。
このようなファスナー用スライダーにおいて、突起部はなだらかな曲面を有するように形成することができる。
また、突起部は半球状に形成されてもよい。
さらに、２つの把持部の一端が連結されて略Ｕ字状に形成される。
また、２つの把持部は、連結された部分を中心として開閉可能に形成されてもよい。
この場合、２つの把持部が対向した状態で把持部の両側から押さえる押圧部材が用いられてもよい。
【００１２】
対向する把持部の内側に突起部が形成され、ファスナーの凹条部の反対面側に当たることにより、凹条部を構成する２つの壁が開くように力が働く。さらに、突起部の曲面によってファスナーの凹条部と凸条部の両側に斜めの方向の力が加わるため、凸条部が凹条部を構成する壁の一方を押して嵌り込む。そのため、凹条部および凸条部の両側から対向する力が加わって、凸条部が凹条部を構成する両方の壁を押し広げるようにして嵌り込む場合に比べて、小さい力で凸条部が凹条部の中に入り込む。それにより、ファスナー用スライダーをスライドさせて、確実に凸条部と凹条部とを嵌め合わせることができる。このとき、大きい力で把持部を押す必要がないため、ファスナー用スライダーとファスナーの外面との間の摩擦力が小さくなり、スムーズにファスナー用スライダーをスライドさせることができる。
このようなファスナー用スライダーにおいて、突起部はなだらかな曲面を有していてもよいし、半球状のような曲面を有していてもよい。なだらかな曲面を有している場合、２列のファスナーが離れている場合に対応することができ、半球状の突起部の場合、２列のファスナーが近接して形成されている場合に対応することができる。
また、把持部を略Ｕ字状に形成することができ、ファスナー形成部を挟むようにしてファスナー用スライダーをスライドさせることができる。
このようなＵ字状のファスナー用スライダーにおいて、把持部の連結部分を中心として開閉できるようすれば、ファスナー形成部に容易にファスナー用スライダーを取り付けることができる。
このように開閉可能なファスナー用スライダーにおいて、押圧部材で把持部の両側から押さえることにより、ファスナー形成部にファスナー用スライダーを取り付けた状態を保持することができる。
【００１３】
この発明の上述の目的，その他の目的，特徴および利点は、図面を参照して行う以下の発明の実施の形態の詳細な説明から一層明らかとなろう。
【００１４】
【発明の実施の形態】
図１はこの発明のファスナー用スライダーの一例を示す正面図であり、図２はその側面図であり、図３はその断面図解図である。ファスナー用スライダー１０は、２つの把持部１４，１６を含む。把持部１４，１６は、略板状に形成されて、その一方端が連結部１８で連結される。したがって、把持部１４，１６は、連結部１８で連結されて略Ｕ字状に形成される。さらに、把持部１４，１６の他方端側には、爪部２０，２２が形成される。爪部２０，２２は、それぞれ把持部１４，１６の他方端部から互いに対向する向きに突出するように形成される。
【００１５】
把持部１４，１６の連結部１８と爪部２０，２２との間において、把持部１４，１６の内面側には、突起部２４，２６が形成される。これらの突起部２４，２６は、たとえば平面形状が楕円形で、なだらかな曲面をもって突出するように形成される。そして、突起部２４，２６が互いに対向するように配置される。したがって、突起部２４，２６の頂点が対向する部分において、最も狭い隙間が形成される。そして、突起部２４，２６の両側に向かうにしたがって、その隙間の間隔が徐々に広くなっている。
【００１６】
さらに、把持部１４，１６の外面側において、突起部２４，２６に対応する位置に、凹部２８，３０が形成される。この凹部２８，３０には、把持部１４，１６の幅方向の両側から中央方向に延びるように、直線状の窪み部３２が形成される。凹部２８，３０には、把持部１４，１６を持つときに、指が当てられる。そして、ファスナー用スライダー１０を使用する際に、窪み部３２が滑り止めとして働く。このファスナー用スライダー１０は、たとえばポリプロピレンなどの合成樹脂を用いて、射出成形などによって作製される。
【００１７】
このファスナー用スライダー１０は、布団圧縮袋などの開口部に形成されたファスナーを閉じるために用いられる。布団圧縮袋１００は、図４に示すように、袋部１０２を含み、その開口部にファスナー部１１０が形成される。ファスナー部１１０は、袋部１０２の開口部の両側に形成されるファスナーテープ１２０，１３０を含む。一方のファスナーテープ１２０の内側には、直線状の２列の凹条部１２２，１２４が平行して形成される。これらの凹条部１２２，１２４は、袋部１０２の開口部の一端側から他端側に向かって延びるように形成される。
【００１８】
また、他方のファスナーテープ１３０の内側には、直線状の２列の凸条部１３２，１３４が平行して形成される。これらの凸条部１３２，１３４は、袋部１０２の開口部の一端側から他端側に向かって延びるように形成される。そして、凹条部１２２，１２４と凸条部１３２，１３４とは、互いに対向する位置に形成される。したがって、凸条部１３２，１３４が対向する凹条部１２２，１２４に嵌り込むことによって、開口部が閉じられる。このように、一方の凹条部１２２と凸条部１３２によって１つのファスナー１１２が形成され、他方の凹条部１２４と凸条部１３４によって別のファスナー１１４が形成される。
【００１９】
袋部１０２およびファスナーテープ１２０，１３０は、たとえば５層構造のラミネートフィルムで形成される。このようなラミネートフィルムとしては、たとえば、リニアローデンシティポリエチレン、ポリエチレン、ナイロン、ポリエチレン、リニアローデンシティポリエチレンの順に積層されたものが用いられる。そして、袋部１０２の開口部にファスナーテープ１２０，１３０を溶着することにより、袋部１０２とファスナー部１００とが一体化される。このような５層構造のラミネートフィルムを用いることにより、空気を通しにくく硬い性質を有するナイロンフィルムの周囲が２重に保護され、傷付きにくく、かつ空気の漏れを有効に防止可能な構造とすることができる。特に、外面にリニアローデンシティポリエチレンフィルムを積層することにより、折り曲げに強く、強度の高いラミネートフィルムを得ることができ、布団圧縮袋が傷つきにくく、複数回の使用に耐えるものとすることができる。
【００２０】
布団圧縮袋１００を使用する際には、袋部１０２の開口部から布団が入れられ、ファスナー部１１０が閉じられる。そのために、ファスナー用スライダー１０の隙間に、ファスナー部１１０の端部が嵌め込まれる。このとき、ファスナー用スライダー１０の突起部２４，２６が、ファスナー部１１０において略平行して形成された２列の凹条部１２２，１２４の間、および２列の凸条部１３２，１３４の間に配置される。
【００２１】
この状態で、ファスナー用スライダー１０が、凹条部１２２，１２４および凸条部１３２，１３４に沿ってスライドさせられる。それにより、凸条部１３２，１３４が凹条部１２２，１２４に入り込み、ファスナー１１２，１１４が閉じて、袋部１０２の開口部が密閉される。このとき、図５に示すように、突起部２６が凹条部１２２，１２４の間に配置され、凹条部１２２，１２４を反対面側から押すような形になるため、凹条部１２２，１２４の中間部が押し出されるように変位する。さらに、一方の凹条部１２２を構成する２つの壁１２２ａ，１２２ｂが開くように変位し、他方の凹条部１２４を構成する２つの壁１２４ａ，１２４ｂが開くように変位するように力が働く。このように、ファスナー用スライダー１０の突起部２６により、凹条部１２２，１２４の開口部が開くように変位する。
【００２２】
また、突起部２４が２列の凸条部１３２，１３４の間に配置され、凸条部１３２，１３４を反対面側から押すような形になるため、これらの凸条部１３２，１３４の中間部が押し出されるように変位する。このように、凹条部１２２，１２４および凸条部１３２，１３４の中間部が押し出されるように変位しながら押さえられることにより、図５の矢印Ｆに示すように、一方の凸条部１３２が、凹条部１２２を構成する一方の壁１２２ａ上を滑りながら、他方の壁１２２ｂを押し広げるようにして凹条部１２２内に入り込む。同様に、他方の凸条部１３４が、凹条部１２４を構成する一方の壁１２４ａ上を滑りながら、他方の壁１２４ｂを押し広げるようにして凹条部１３４内に入り込む。
【００２３】
それに対して、図１１に示すような従来のファスナー用スライダーを用いる場合、図１２に示すように、凹状部８と凸状部７の両側から力がかかる。したがって、凸状部７は、凹状部８を構成する２つの壁の両方を押し開くようにして入り込む。このように、凹状部８を構成する両方の壁を押し開くためには大きな力が必要であり、確実に凸状部７を凹状部８に嵌めこむことが困難である。また、凸状部７を凹状部８に確実に嵌め込むために、把持部の両側から強い力を加えると、ファスナー用スライダーとファスナー部との間の摩擦力が大きくなり、ファスナー用スライダーをスライドさせることが困難となる。
【００２４】
このように、この発明のファスナー用スライダー１０と従来のファスナー用スライダーとでは、凸状部１３２，１３４が凹状部１２２，１２４に嵌り込むときの動作が異なり、この発明のファスナー用スライダー１０を用いることにより、軽い力で把持部１４，１６を持ち、スライドさせることによって容易に２列のファスナー１１２，１１４を閉じることができる。しかも、軽い力で把持部１４，１６を持つことができるため、ファスナー用スライダー１０とファスナー部１１０との間の摩擦力が小さく、スムーズにファスナー用スライダー１０をスライドさせることができる。したがって、ファスナー用スライダー１０によって、ファスナー部１１０が傷付けられることを防止することができる。
【００２５】
さらに、図６に示すように、連結部１８部分において、２つの把持部１４，１６を開閉可能にすることができる。このファスナー用スライダー１０では、連結部１８の内側において、２つの突起部２４，２６の対向部分に向かって延びる板状の中間体３４が形成される。中間体３４は、把持部１４，１６でファスナー部１１０を挟むときに、２つのファスナーテープ１２０，１３０の間の隙間に配置される。この中間体３４がファスナーテープ１２０，１３０の間に配置されることによって、ファスナー用スライダー１０がファスナー部１１０から外れるのを防止することができる。
【００２６】
このファスナー用スライダー１０では、把持部１４，１６を開閉することができるため、ファスナー部１１０への取り付けが容易である。しかも、突起部２４，２６が形成されていることにより、軽い力でスムーズにファスナー用スライダー１０をスライドさせることができ、確実にファスナー部１１０を閉じることができる。
【００２７】
このファスナー用スライダー１０は、ファスナー部１１０から取り外すことなく、付属品として用いることができる。この場合、ファスナー用スライダー１０に、把持部１４，１６の開閉を防止するための押圧部材４０が取り付けられる。押圧部材４０は、図７に示すように、略Ｕ字状に形成された板材４２を含み、その先端部に互いに対向するように突出する爪片４４が形成される。
【００２８】
押圧部材４０は、図８に示すように、開閉可能に形成されたファスナー用スライダー１０の把持部１４，１６を挟むようにして取り付けられる。このとき、押圧部材４０の爪片４４が固定されるように、凹部２８，３０部分に固定用溝４６が形成される。この固定用溝４６に押圧部材４０の爪片４４が嵌め込まれることにより、押圧部材４０がファスナー用スライダー１０から外れることなく、ファスナー用スライダー１０をファスナー部１１０に取り付けることができる。
【００２９】
さらに、ファスナー用スライダー１０の連結部１８の外側には、幅方向の両側に、固定用爪４８が形成される。これらの固定用爪４８の間には、押圧部材４０が嵌り込む。したがって、押圧部材４０をファスナー用スライダー１０に取り付けたとき、固定用溝４６と固定用爪４８によって、押圧部材４０が外れないように保持される。さらに、ファスナー用スライダー１０に押圧部材４０を取り付けるときに、爪片４４が滑り込みやすいように、把持部１４，１６の幅方向の端部に傾斜面５０が形成される。
【００３０】
このような押圧部材４０を用いることにより、図９に示すように、ファスナー用スライダー１０が開かないようにして、ファスナー用スライダー１０をファスナー部１１０に取り付けた状態を保持することができる。このようにすれば、ファスナー用スライダー１０を別部材として取り扱うことなく、ファスナー部１１０と一体のものとして取り扱うことができる。
【００３１】
このように、ファスナー部１１０と一体的に用いられる場合においても、把持部１４，１６の内側において対向する突起部２４，２６によって凹条部１２２，１２４と凸条部１３２，１３４とが押さえられることにより、スムーズにファスナー用スライダー１０をスライドさせて、確実にファスナー部１１０を閉じることができる。
【００３２】
なお、凹条部１２２，１２４の間隔および凸条部１３２，１３４の間隔が広い場合には、なだらかな曲面を有する突起部２０，２２が形成されるが、凹条部１２２，１２４の間隔および凸条部１３２，１３４の間隔が狭い場合には、たとえば図１０に示すように、半球状の突起部２４，２６が形成される。このように、突起部２４，２６の曲率を変えることにより、凹条部１２２，１２４の間隔および凸条部１３２，１３４の間隔に対応させることができる。また、このファスナー用スライダー１０は、合成樹脂を用いた射出成形などにより、容易に製造を行うことができる。
【００３３】
この発明のファスナー用スライダー１０を用いれば、把持部１４，１６を軽く持ってスライドさせることにより、確実にファスナー部１１０を閉じることができる。したがって、布団圧縮袋１００などを確実に密閉することができ、内部の空気を排出したのち、ファスナー部１１０から空気が入り込むことを防止することができる。さらに、強い力で把持部１４，１６を押し付ける必要がないため、ファスナー用スライダー１０によるファスナー部１１０の破損を防止することができる。もちろん、このファスナー用スライダー１０は、布団圧縮袋以外の袋であっても、並んで形成された２列のファスナー部で開口部を閉じるものに適用することができる。
【００３４】
【発明の効果】この発明によれば、ファスナー用スライダーの把持部を持って、ファスナー部に沿って軽くスライドさせるだけで、確実にファスナー部を閉じることができる。また、このファスナー用スライダーは、複数の部品を組み立てる必要がなく、射出成形などによって容易に製造することができ、製造コストを低くすることができる。
【図面の簡単な説明】
【図１】この発明のファスナー用スライダーの一例を示す正面図である。
【図２】図１に示すファスナー用スライダーの側面図である。
【図３】図１に示すファスナー用スライダーの断面図解図である。
【図４】図１に示すファスナー用スライダーを布団圧縮袋のファスナー部に取り付けた状態を示す斜視図である。
【図５】図１に示すファスナー用スライダーでファスナーを閉じるときの様子を示す図解図である。
【図６】この発明のファスナー用スライダーの他の例を示す斜視図である。
【図７】図６に示すファスナー用スライダーを閉じた状態で保持するための押圧部材を示す斜視図である。
【図８】図６に示すファスナー用スライダーに図７に示す押圧部材を取り付けた状態を示す斜視図である。
【図９】図８に示すファスナー用スライダーを布団圧縮袋のファスナー部に取り付けた状態を示す斜視図である。
【図１０】この発明のファスナー用スライダーの別の例を示す図解図である。
【図１１】従来のファスナー用スライダーを布団圧縮袋のファスナー部に取り付けた状態を示す斜視図である。
【図１２】図１１に示す従来のファスナー用スライダーでファスナーを閉じるときの様子を示す図解図である。
【符号の説明】
１０　ファスナー用スライダー
１４，１６　把持部
１８　連結部
２０，２２　爪部
２４，２６　突起部
２８，３０　凹部
３２　窪み部
３４　中間体
４０　押圧部材
４２　板材
４４　爪片
４６　固定用溝
４８　固定用爪
５０　傾斜面
【図１】
2004131098.tif 000003
【図２】
2004131098.tif 000004
【図３】
2004131098.tif 000005
【図４】
2004131098.tif 000006
【図５】
2004131098.tif 000007
【図６】
2004131098.tif 000008
【図７】
2004131098.tif 000009
【図８】
2004131098.tif 000010
【図９】
2004131098.tif 000011
【図１０】
2004131098.tif 000012
【図１１】
2004131098.tif 000013
【図１２】
2004131098.tif 000014